(57)【要約】  タッチ部材及びディスプレイを提供する。タッチ部材は、第１の基板と、複数のタッチ電極と、複数の信号線とを備える。第１の基板は、少なくとも１つの屈曲可能な屈曲領域を含む。複数のタッチ電極は、第一基板の少なくとも１つの面に配置される。屈曲領域は、複数のタッチ電極の少なくとも一部を、複数の接続されていないタッチ副電極として分離する。タッチ副電極は、それぞれ信号線を介して駆動される。屈曲領域内のタッチ電極を切り離すことにより、タッチ部材及びディスプレイの屈曲領域を良好に曲げることができる。更に、タッチ副電極は、それぞれ信号線を介して駆動されるので、各タッチ副電極を確実に正常に駆動でき、曲げられたディスプレイの各タッチ位置を正常に接触操作できる。【選択図】図１
2019530047.tif 000002
【特許請求の範囲】
【請求項１】
少なくとも１つの屈曲可能な屈曲領域を含む第１の基板と、
前記第１の基板の少なくとも１つの面に配置された複数のタッチ電極と、を備え、
前記複数のタッチ電極のうちの少なくとも幾つかは、前記屈曲領域によって複数の接続されていないタッチ副電極に分離され、
前記タッチ副電極のそれぞれは、信号線を介して駆動される、タッチ部材。
【請求項２】
請求項１において、
前記複数のタッチ電極は、第１の方向に沿って延びる複数の第１のタッチ電極と、第２の方向に沿って延びる複数の第２のタッチ電極と、を含む、タッチ部材。
【請求項３】
請求項２において、
前記屈曲領域は、ｎを正の整数として、前記第１の方向に沿って延びるｎ個の第１方向屈曲領域を含み、
前記第２のタッチ電極の少なくとも１つは、前記第１方向屈曲領域によって（ｎ＋１）個の接続されていない第２のタッチ副電極に分離され、
前記第２のタッチ副電極のそれぞれは、信号線を介して駆動される、タッチ部材。
【請求項４】
請求項３において、
前記第１方向屈曲領域のそれぞれは、２つの隣接する第１のタッチ電極間に位置し、
異なる第１方向屈曲領域は、それぞれ異なる２つの隣接する第１のタッチ電極間に位置する、タッチ部材。
【請求項５】
請求項３において、
前記屈曲領域は、更に、ｍを正の整数として、前記第２の方向に沿って延びるｍ個の第２方向屈曲領域を含み、
前記第１のタッチ電極の少なくとも１つは、前記第２方向屈曲領域によって（ｍ＋１）個の接続されていない第１のタッチ副電極に分離され、
前記第１のタッチ副電極のそれぞれは、信号線を介して駆動される、タッチ部材。
【請求項６】
請求項５において、
前記第２方向屈曲領域のそれぞれは、２つの隣接する第２のタッチ電極間に位置し、
異なる第２方向屈曲領域は、それぞれ異なる２つの隣接する第２のタッチ電極間に位置する、タッチ部材。
【請求項７】
請求項２において、
前記第１のタッチ電極と前記第２のタッチ電極は帯状であり、又は前記第１のタッチ電極のそれぞれは、複数の第１の菱形電極と、前記複数の第１の菱形電極を前記第１の方向に沿って電気的に接続する第１の接続線とを含み、
前記第２のタッチ電極のそれぞれは、複数の第２の菱形電極と、前記複数の第２の菱形電極を前記第２の方向に沿って電気的に接続する第２の接続線と、を含む、タッチ部材。
【請求項８】
請求項１乃至７のいずれか１項において、
前記屈曲領域は、１μｍから１０μｍの幅を有する、タッチ部材。
【請求項９】
請求項１乃至８のいずれかに１項に記載のタッチ部材を備える、ディスプレイデバイス。
【請求項１０】
請求項９において、
フレキシブル回路基板を更に備え、
同じタッチ電極に接続された異なる信号線は、フレキシブル回路基板によって電気的に接続されている、ディスプレイデバイス。
【請求項１１】
請求項１０において、
前記フレキシブル回路基板は、同じタッチ電極の各タッチ副電極に同じ感知信号を供給する、ディスプレイデバイス。
【発明の詳細な説明】
【技術分野】
【０００１】
本出願は、ディスプレイ技術の分野に関し、特に、タッチ部材及びタッチ部材を含むディスプレイに関する。
【背景技術】
【０００２】
ディスプレイデバイスは、その画面上に様々な画像を表示することによってユーザに情報を提供する。フレキシブルディスプレイを有する折り畳み式ディスプレイデバイスが開発されている。このようなディスプレイデバイスは、タッチイベントを感知し、タッチイベントが発生した位置の座標情報をディスプレイデバイスに提供できる折り畳み式タッチ部材を含むことができる。ディスプレイデバイスは、タッチ部材によって提供された情報に対応する画像を表示できる。
【０００３】
近年、フレキシブルディスプレイデバイスは、これらの屈曲性及び折り畳み性等の特性のために広く注目されている。更に、タッチ部材を使用するフレキシブルディスプレイデバイスの需要が市場で高まっており、タッチ部材には、屈曲及び折り畳みに対する高い耐性が要求されている。
【発明の概要】
【発明が解決しようとする課題】
【０００４】
本出願の目的は、曲げ及び折り畳みに対する耐性、及びその間の接触制御の能力を有するタッチ部材及びディスプレイデバイスを提供することである。
【課題を解決するための手段】
【０００５】
上記の技術的問題を解決するために、本出願が提供するタッチ部材は、
少なくとも１つの屈曲可能な屈曲領域を含む第１の基板と、
第１の基板の少なくとも１つの面に配置された複数のタッチ電極と、を備え、
複数のタッチ電極のうちの少なくとも幾つかは、屈曲領域によって複数の接続されていないタッチ副電極に分離され、タッチ副電極のそれぞれは、信号線を介して駆動される。
【０００６】
更に、このタッチ部材において、複数のタッチ電極は、第１のタッチ電極と、第２のタッチ電極とを含み、複数の第１のタッチ電極は、第１の方向に沿って延び、複数の第２のタッチ電極は、第２の方向に沿って延びる。
【０００７】
更に、タッチ部材において、屈曲領域は、ｎを正の整数として、第１の方向に沿って延びるｎ個の第１方向屈曲領域を含み、第２のタッチ電極の少なくとも１つは、第１方向屈曲領域によって（ｎ＋１）個の接続されていない第２のタッチ副電極に分離され、第２のタッチ副電極のそれぞれは、信号線を介して駆動される。
【０００８】
更に、タッチ部材において、第１方向屈曲領域のそれぞれは、隣接する第１のタッチ電極間に位置し、異なる第１方向屈曲領域は、それぞれ異なる隣接する第１のタッチ電極間に位置する。
【０００９】
更に、タッチ部材において、屈曲領域は、更に、ｍを正の整数として、第２の方向に沿って延びるｍ個の第２方向屈曲領域を含み、第１のタッチ電極の少なくとも１つは、第２方向屈曲領域によって（ｍ＋１）個の接続されていない第１のタッチ副電極に分離され、第１のタッチ副電極のそれぞれは、信号線を介して駆動される。
【００１０】
更に、タッチ部材において、第２方向屈曲領域のそれぞれは、２つの隣接する第２のタッチ電極間に位置し、異なる第２方向屈曲領域は、それぞれ異なる２つの隣接する第２のタッチ電極間に位置する。
【００１１】
更に、タッチ部材において、第１のタッチ電極と第２のタッチ電極は帯状である。あるいは、第１のタッチ電極のそれぞれは、複数の第１の菱形電極と、複数の第１の菱形電極を第１の方向に沿って電気的に接続する第１の接続線とを含み、第２のタッチ電極のそれぞれは、複数の第２の菱形電極と、複数の第２の菱形電極を第２の方向に沿って電気的に接続する第２の接続線とを含む。
【００１２】
更に、タッチ部材において、屈曲領域は、１μｍから１０μｍの幅を有する。
【００１３】
本出願の他の側面として提供されるディスプレイデバイスは、上述のタッチ部材を備える。
【００１４】
更に、ディスプレイデバイスは、フレキシブル回路基板（flexible circuit board：ＦＰＣ）を更に備えていてもよく、同じタッチ電極に接続された異なる信号線は、フレキシブル回路基板によって電気的に接続される。
【００１５】
更に、ディスプレイデバイスにおいて、各タッチ電極について、ＦＰＣは、同じタッチ電極の各タッチ副電極に対し、同じ感知信号を供給する。
【００１６】
上述のタッチ部材及びディスプレイデバイスは、以下の利点を提供する。
【００１７】
上述のタッチ部材及びディスプレイデバイスにおいて、タッチ部材は、第１の基板と、タッチ電極と、複数の信号線とを含む。第１の基板は、少なくとも１つの屈曲可能な屈曲領域を含み、タッチ電極は第１の基板の少なくとも１つの表面上に配置されている。少なくとも幾つかのタッチ電極は、屈曲領域によって複数の接続されていないタッチ副電極に分離されている。各タッチ副電極は、信号線を介して駆動される。屈曲領域においてタッチ電極を分離することにより、屈曲領域におけるタッチ部材及びディスプレイデバイスの良好な曲げ特性が実現される。更に、各タッチ副電極をそれぞれの信号線を介して駆動することにより、各タッチ副電極を確実に正常に駆動でき、曲げ状況において、ディスプレイデバイスの各タッチ制御位置でタッチ制御を正常に行うことができる。
【図面の簡単な説明】
【００１８】
【図１】実施形態１に基づくタッチ部材の概略図である。
【図２】実施形態２に基づくタッチ部材の概略図である。
【図３】実施形態３に基づくタッチ部材の概略図である。
【発明を実施するための形態】
【００１９】
以下、本出願の好ましい実施形態を示す添付の概略図を参照して、本出願が提案するタッチ部材及びディスプレイデバイスをより詳細に説明する。本明細書に開示されている応用例の有益な結果を享受しながら、変更を加えることができることは、当業者にとって明らかである。したがって、以下の説明は、応用例を限定するものではなく、当業者に周知させることを意図するものである。
【００２０】
説明を簡単かつ明瞭にするために、ここに開示する特定の実施形態について、必ずしも全ての特徴は説明しない。更に、本出願を不必要に不明瞭にしないために、周知の機能及び構造の説明及び詳細は、省略する。本出願の任意の実用的な実施形態の開発は、システム関連及びビジネス関連の制約の遵守等、開発者の特定の目的を達成するために多くの実施詳細を含む必要があり、これらは、実施例毎に異なる。更に、このような開発は、複雑で時間がかかる可能性があるが、当業者にとっては、日常的な作業であることに変わりはない。
【００２１】
以下、添付の図面を参照しながら、本出願を例示的に説明する。本出願の特徴及び利点は、以下の詳細な説明及び特許請求の範囲から更に明らかになる。なお、添付の図面は、本出願の幾つかの例示的な例を説明する際の便宜及び明確さのみを目的とし、非常に単純化された形態で提供され、必ずしも一定の縮尺で示されていない。
【００２２】
本出願の核となる思想は、第１の基板と、タッチ電極と、複数の信号線とを含むタッチ部材及びディスプレイデバイスを提供することである。第１の基板は、少なくとも１つの屈曲可能な屈曲領域を含み、第１の基板の少なくとも１つの表面上には、複数のタッチ電極が配置されている。タッチ電極の少なくとも幾つかは、複数の接続されていないタッチ副電極に分離され、各タッチ副電極は対応する信号線を介して駆動される。屈曲領域においてタッチ電極を分離することにより、屈曲領域におけるタッチ部材及びディスプレイデバイスの良好な曲げ特性が実現される。更に、各タッチ副電極をそれぞれの信号線を介して駆動することにより、各タッチ副電極を確実に正常に駆動でき、曲げ状況において、ディスプレイデバイスの各タッチ制御位置でタッチ制御を正常に行うことができる。
【００２３】
以下、添付の図面及び実施形態を参照して本出願をより詳細に説明する。なお、ここに開示する特定の実施形態は、如何なる意味においても本出願を限定する意図はなく、単に例示的なものとして解釈される。また、説明を明瞭にするために、図面は、本出願に関連する要素のみを示している。
【００２４】
また、本出願の実施形態及び実施形態の特徴は、矛盾がない限り、組み合わせることができる。添付の図面及び実施形態を参照して、本出願をより詳細に説明する。
【００２５】
実施形態１
図１を参照して、実施形態１に基づくタッチ部材１について詳細に説明する。
【００２６】
図１に示すように、タッチ部材１は、第１の基板１００と、タッチ電極と、複数の信号線とを含む静電容量式のタッチ部材である。第１の基板１００は、屈曲可能であり、光が透過できる可撓性の透明基板であってもよい。第１の基板１００は、少なくとも１つの屈曲領域を含む。本実施形態において、第１の基板１００は、第１の方向に沿って延びる第１方向屈曲領域１３１を含む。タッチ部材１の静電容量を確保するために、屈曲領域１３１は、１μｍから１０μｍの範囲、例えば、１μｍ、２μｍ、３μｍ、４μｍ、５μｍ、６μｍ、７μｍ、８μｍ、９μｍ、又は１０μｍの幅ｄ１を有する。
【００２７】
タッチ部材１は、複数の第２のタッチ電極、例えば、図１の実施形態では第２の方向に沿って延びる４つの第２のタッチ電極１２１、１２２、１２３、１２４を含む。他の実施形態では、第２のタッチ電極の数は、１、２、３、５、６、７以上であってもよい。この実施形態では、第２の方向は横方向である。
【００２８】
第２のタッチ電極のうちの少なくとも１つは、第１方向屈曲領域１３１によって複数の接続されていない第２のタッチ副電極に分離される。この実施形態では、第２のタッチ電極１２１、１２２、１２３、１２４のそれぞれは帯状であり、第２のタッチ電極１２１は、第１方向屈曲領域１３１によって２つの接続されていない第２のタッチ副電極１２１１、１２１２に分離され、第２のタッチ電極１２２は、第１方向屈曲領域１３１によって２つの接続されていない第２のタッチ副電極１２２１、１２２２に分離され、第２のタッチ電極１２３は、第１方向屈曲領域１３１によって２つの接続されていない第２のタッチ副電極１２３１、１２３２に分離され、第２のタッチ電極１２４は、第１方向屈曲領域１３１によって２つの接続されていない第２のタッチ副電極１２４１、１２４２に分離されている。
【００２９】
タッチ部材１が２つの第１方向屈曲領域を含む他の実施形態では、第２のタッチ電極１２１は、２つの第１方向屈曲領域１３１によって３つの接続されていない第２のタッチ副電極に分離され、第２のタッチ電極１２２は、２つの第１方向屈曲領域１３１によって３つの接続されていない第２のタッチ副電極に分離され、第２のタッチ電極１２３は、２つの第１方向屈曲領域１３１によって３つの接続されていない第２のタッチ副電極に分離され、第２のタッチ電極１２４は、２つの第１方向屈曲領域１３１によって３つの接続されていない第２のタッチ副電極に分離される。この点については、当業者が容易に理解でき、したがって本明細書では、これ以上詳細に説明しない。
【００３０】
この実施形態では、タッチ部材１は、複数の第１のタッチ電極、例えば、図１の例示的な実施形態では４つの第１のタッチ電極１１１、１１２、１１３、１１４を更に含み、第１のタッチ電極１１１、１１２、１１３、１１４は、第１の方向に沿って帯状に形成されている。他の実施形態では、第１のタッチ電極１１１、１１２、１１３、１１４の第１のタッチ電極の数は、１、２、３、５、６、７以上であってもよい。
【００３１】
この実施形態では、第１方向屈曲領域１３１は、隣接する第１のタッチ電極１１２と第１のタッチ電極１１３との間に位置している。タッチ部材１が２つの第１方向屈曲領域を含む他の実施形態では、２つの第１方向屈曲領域は、それぞれ第１のタッチ電極１１１、１１２間及び第１のタッチ電極１１２、１１３間に配置してもよく、２つの第１方向屈曲領域は、それぞれ第１のタッチ電極１１２、１１３間及び第１のタッチ電極１１３、１１４間に配置してもよく、２つの第１方向屈曲領域は、それぞれ第１のタッチ電極１１１、１１２間及び第１のタッチ電極１１３、１１４間に配置してもよい。また、タッチ部材１は、３つ以上の第１方向屈曲領域を含んでもよく、第１方向屈曲領域の一方は、第１のタッチ電極１１１、１１２の間に位置し、第１方向屈曲領域のうちの他の１つは、第１のタッチ電極１１２、１１３の間に位置し、第１方向屈曲領域の更に他の１つは、第１のタッチ電極１１３、１１４の間に位置する、等としてもよい。
【００３２】
この実施形態では、各第２のタッチ副電極は、対応する第２のタッチ副電極信号線を介して駆動される。具体的には、第２のタッチ副電極１２１１は、第２のタッチ副電極信号線１４１１によって駆動され、第２のタッチ副電極１２２１は、第２のタッチ副電極信号線１４２１によって駆動され、第２のタッチ副電極１２３１は、第２のタッチ副電極信号線１４３１によって駆動され、第２のタッチ副電極１２４１は、第２のタッチ副電極信号線１４４１によって駆動され、第２のタッチ副電極１２１２は、第２のタッチ副電極信号線１４１２によって駆動され、第２のタッチ副電極１２２２は、第２のタッチ副電極信号線１４２２によって駆動され、第２のタッチ副電極１２３２は、第２のタッチ副電極信号線１４３２によって駆動され、第２のタッチ副電極１２４２は、第２のタッチ副電極信号線１４４２によって駆動される。第１のタッチ電極１１１、１１２、１１３、１１４は、それぞれ第１のタッチ電極信号線１５１、１５２、１５３、１５４によって駆動される。
【００３３】
本実施形態に基づくタッチ部材１をディスプレイデバイスに用いて、タッチ制御ディスプレイデバイスを構成できる。ディスプレイデバイスは、好ましくは、信号駆動用のフレキシブル回路基板（flexible circuit board：ＦＰＣ）を更に備える。第１のタッチ電極信号線１５１、１５２、１５３、１５４及び第２のタッチ副電極信号線１４１１、１４２１、１４３１、１４４１、１４１２、１４２２、１４３２、１４４２は、全てＦＰＣに接続される。
【００３４】
好ましくは、同一のタッチ電極に接続された異なる信号線は、同一のＦＰＣを介して電気的に接続され、これによりタッチ電極は、同一の駆動信号を受信する。具体的には、第２のタッチ副電極信号線１４１１、１４１２は、同一のＦＰＣを介して互いに電気的に接続されており、第２のタッチ副電極信号線１４２１、１４２２は、同一のＦＰＣを介して互いに電気的に接続されており、第２のタッチ副電極信号線１４３１、１４３２は、同一のＦＰＣを介して互いに電気的に接続されており、第２のタッチ副電極信号線１４４１、１４４２は、同一のＦＰＣを介して互いに電気的に接続されている。
【００３５】
図１に示すように、この実施形態では、第２のタッチ副電極信号線１４１１、１４１２は、それぞれ第２のタッチ副電極１２１１、１２１２に感知信号ＲＸ１を供給し、第２のタッチ副電極信号線１４２１、１４２２は、それぞれ第２のタッチ副電極１２２１、１２２２に感知信号ＲＸ２を供給し、第２のタッチ副電極信号線１４３１、１４３２は、それぞれ第２のタッチ副電極１２３１、１２３２に感知信号ＲＸ３を供給し、第２のタッチ副電極信号線１４４１、１４４２は、それぞれ第２のタッチ副電極１２４１、１２４２に感知信号ＲＸ４を供給する。また、第１のタッチ電極信号線１５１、１５２、１５３、１５４は、それぞれ第１のタッチ電極１１１、１１２、１１３、１１４に駆動信号ＴＸ１、ＴＸ２、ＴＸ３、ＴＸ４を供給する。
【００３６】
タッチ部材１は、二重層感知構造又は金属ブリッジ構造を有する。前者の場合、第１のタッチ電極と第２のタッチ電極は、異なる層に形成され、後者の場合、これらは、同じ層に形成される。この点については、当業者が容易に理解でき、したがって本明細書では、これ以上詳細に説明しない。
【００３７】
この実施形態では、第１の方向は、縦方向であり、第２の方向は、横方向である。他の実施形態では、第１の方向を横方向とし、第２の方向を縦方向としてもよい。
【００３８】
この実施形態では、第２のタッチ電極は、第１方向屈曲領域１３１によって分離されており、すなわち、第２のタッチ電極の一部は、第１方向屈曲領域１３１に含まれておらず、これにより、第１方向屈曲領域１３１におけるタッチ部材１及びディスプレイデバイスの良好な屈曲特性が確保されている。更に、第２のタッチ副電極のそれぞれは、それぞれの第２のタッチ副電極信号線を介して駆動され、これにより、第２のタッチ副電極のそれぞれを確実に正常に駆動でき、曲げ状況において、ディスプレイデバイスの各タッチ制御位置でタッチ制御を正常に行うことができる。
【００３９】
実施形態２
次に、図１と共通の要素に同じ参照番号を付した図２を参照して説明する。実施形態２に基づくタッチ部材２は、第１方向屈曲領域１３１が、第２の方向に沿って延びる少なくとも１つの第２方向屈曲領域２３２に更に接続されている点を除いて、実施形態１のタッチ部材１と本質的に同一である。タッチ部材１が適切な静電容量を有するように、第１方向屈曲領域１３１の幅ｄ１と同様に、第２方向屈曲領域２３２は、１μｍから１０μｍの範囲、例えば、１μｍ、２μｍ、３μｍ、４μｍ、５μｍ、６μｍ、７μｍ、８μｍ、９μｍ、又は１０μｍの幅ｄ２を有する。なお、ｄ１とｄ２は、等しくても異なっていてもよい。
【００４０】
第１のタッチ電極のうちの少なくとも１つは、第２方向屈曲領域２３２によって複数の接続されていない第１のタッチ副電極に分離される。具体的には、第１のタッチ電極２１１は、第２方向屈曲領域２３２によって２つの接続されていない第１のタッチ副電極２１１１、２１１２に分離され、第１のタッチ電極２１２は、第２方向屈曲領域２３２によって２つの接続されていない第１のタッチ副電極２１２１、２１２２に分離され、第１のタッチ電極２１３は、第２方向屈曲領域２３２によって２つの接続されていない第１のタッチ副電極２１３１、２１３２に分離され、第１のタッチ電極２１４は、第２方向屈曲領域２３２によって２つの接続されていない第１のタッチ副電極２１４１、２１４２に分離されている。
【００４１】
タッチ部材１が２つの第２方向屈曲領域を含む他の実施形態では、第１のタッチ電極２１１は、２つの第２方向屈曲領域によって３つの接続されていない第１のタッチ副電極に分離され、第１のタッチ電極２１２は、２つの第２方向屈曲領域によって３つの接続されていない第１のタッチ副電極に分離され、第１のタッチ電極２１３は、２つの第２方向屈曲領域によって３つの接続されていない第１のタッチ副電極に分離され、第１のタッチ電極２１４は、２つの第２方向屈曲領域によって３つの接続されていない第１のタッチ副電極に分離される。この点については、当業者が容易に理解でき、したがって本明細書では、これ以上詳細に説明しない。
【００４２】
タッチ部材２が２以上の第２方向屈曲領域を含む場合、各第２方向屈曲領域は、隣接する第２のタッチ電極間に位置し、異なる第２方向屈曲領域は、それぞれ異なる隣接する第２のタッチ電極間に位置する。例えば、第２方向屈曲領域の一方は、第２のタッチ電極１２１、１２２の間に配置され、他方は、第２のタッチ電極１２２、１２３の間に配置される。あるいは、第２方向屈曲領域の一方は、第２のタッチ電極１２２、１２３の間に配置され、他方は、第２のタッチ電極１２３、１２４の間に配置される。あるいは、第２方向屈曲領域の一方は、第２のタッチ電極１２１、１２２の間に配置され、他方は第２のタッチ電極１２３、１２４の間に配置される。あるいは、第２方向屈曲領域のうちの１つは、第２のタッチ電極１２１、１２２の間に配置され、第２方向屈曲領域の他の１つは、第２のタッチ電極１２２、１２３の間に配置され、第２方向屈曲領域の残りの１つは、第２のタッチ電極１２３、１２４の間に配置される。
【００４３】
この実施形態では、第２方向屈曲領域２３２は、隣接する第２のタッチ電極１２２、１２３の間に位置している。
【００４４】
この実施形態では、第１のタッチ副電極のそれぞれは、対応する第１のタッチ副電極信号線を介して駆動される。具体的には、第１のタッチ副電極２１１１は、第１のタッチ副電極駆動信号線２５１２によって駆動され、第１のタッチ副電極２１２１は、第１のタッチ副電極駆動信号線２５２２によって駆動され、第１のタッチ副電極２１３１は、第１のタッチ副電極駆動信号線２５３２によって駆動され、第１のタッチ副電極２１４１は、第１のタッチ副電極駆動信号線２５４２によって駆動され、第１のタッチ副電極２１１２は、第１のタッチ副電極駆動信号線２５１１によって駆動され、第１のタッチ副電極２１２２は、第１のタッチ副電極駆動信号線２５２１によって駆動され、第１のタッチ副電極２１３２は、第１のタッチ副電極駆動信号線２５３１によって駆動され、第１のタッチ副電極２１４２は、第１のタッチ副電極駆動信号線２５４１によって駆動される。
【００４５】
本実施形態に基づくタッチ部材２をディスプレイデバイスに用いて、タッチ制御ディスプレイデバイスを構成できる。ディスプレイデバイスは、好ましくは、信号駆動用のフレキシブル回路基板（ＦＰＣ）を更に備える。第１のタッチ電極駆動信号線２５１１、２５２１、２５３１、２５４１、２５１２、２５２２、２５３２、２５４２及び第２のタッチ副電極駆動信号線１４１１、１４２１、１４３１、１４４１、１４１２、１４２２、１４３２、１４４２は、全てＦＰＣに接続される。
【００４６】
好ましくは、同一のタッチ電極に接続された異なる信号線は、同一のＦＰＣを介して電気的に接続され、これによりタッチ電極は、同一の駆動信号を受信する。具体的には、第１のタッチ副電極駆動信号線２５１１、２５１２は、同一のＦＰＣを介して電気的に接続されており、第１のタッチ副電極駆動信号線２５２１、２５２２は、同一のＦＰＣを介して電気的に接続されており、第１のタッチ副電極駆動信号線２５３１、２５３２は、同一のＦＰＣを介して電気的に接続されており、第１のタッチ副電極駆動信号線２５４１、２５４２は、同一のＦＰＣを介して電気的に接続されている。
【００４７】
図２に示すように、この実施形態では、第２のタッチ副電極駆動信号線１４１１、１４１２は、それぞれ第２のタッチ副電極１２１１、１２１２に感知信号ＲＸ１を供給し、第２のタッチ副電極駆動信号線１４２１、１４２２は、それぞれ第２のタッチ副電極１２２１、１２２２に感知信号ＲＸ２を供給し、第２のタッチ副電極駆動信号線１４３１、１４３２は、それぞれ第２のタッチ副電極１２３１、１２３２に感知信号ＲＸ３を供給し、第２のタッチ副電極駆動信号線１４４１、１４４２は、それぞれ第２のタッチ副電極１２４１、１２４２に感知信号ＲＸ４を供給する。更に、第１のタッチ副電極駆動信号線２５１１、２５１２は、それぞれ第１のタッチ副電極２１１２、２１１１に感知信号ＴＸ１を供給し、第１のタッチ副電極駆動信号線２５２１、２５２２は、それぞれ第１のタッチ副電極２１２２、２１２１に感知信号ＴＸ２を供給し、第１のタッチ副電極駆動信号線２５３１、２５３２は、それぞれ第１のタッチ副電極２１３２、２１３１に感知信号ＴＸ３を供給し、第１のタッチ副電極駆動信号線２５４１、２５４２は、それぞれ第１のタッチ副電極２１４２、２１４１に感知信号ＴＸ４を供給する。
【００４８】
この実施形態に基づくタッチ部材２は、二重層感知構造又は金属ブリッジ構造を有する。前者の場合、第１のタッチ電極と第２のタッチ電極は、異なる層に形成され、後者の場合、これらは、同じ層に形成される。この点については、当業者が容易に理解でき、したがって本明細書では、これ以上詳細に説明しない。
【００４９】
この実施形態では、第２のタッチ電極は、第１方向屈曲領域１３１によって分離されており、第１のタッチ電極は、第２方向屈曲領域２３２によって分離されており、これにより、第１方向屈曲領域１３１及び第２方向屈曲領域２３２におけるタッチ部材２及びディスプレイデバイスの良好な屈曲特性が確保される。更に、第１のタッチ副電極のそれぞれは、それぞれの第１のタッチ副電極駆動信号線によって分離されており、第２のタッチ副電極のそれぞれは、それぞれの第２のタッチ副電極駆動信号線によって分離されているため、第２のタッチ副電極及び第１のタッチ副電極のそれぞれを確実に正常に駆動でき、曲げ状況において、ディスプレイデバイスの各タッチ制御位置でタッチ制御を正常に行うことができる。
【００５０】
実施形態３
次に、図１と共通の要素に同じ参照番号を付した図３を参照して説明する。実施形態３によるタッチ部材３は、第１の方向が横方向であり、第２の方向が縦方向である点を除いて、実施形態１のタッチ部材１と本質的に同一である。各第１のタッチ電極は、複数の第１の菱形電極１ａと第１の接続線１ｂとを含み、第１の方向に沿った複数の第１の菱形電極１ａは、第１の接続線１ｂによって電気的に接続されている。各第２のタッチ電極は、複数の第２の菱形電極２ａと第２の接続線２ｂとを含み、第２の方向に沿った複数の第２の菱形電極２ａは、第２の接続線２ｂによって電気的に接続されている。
【００５１】
具体的には、第１の基板１００は、第１の方向に沿って延びる第１方向屈曲領域３３１を含む。タッチ部材３が適切な静電容量を有するために、屈曲領域３３１は、１μｍから１０μｍの範囲、例えば、１μｍ、２μｍ、３μｍ、４μｍ、５μｍ、６μｍ、７μｍ、８μｍ、９μｍ、又は１０μｍの幅ｄ３を有する。
【００５２】
タッチ部材３は、複数の第２のタッチ電極、例えば、図３の実施形態では第２の方向に沿って延びる４つの第２のタッチ電極を含む。他の実施形態では、第２のタッチ電極の数は、１、２、３、５、６、７以上であってもよい。
【００５３】
第２のタッチ電極のうちの少なくとも１つは、第１方向屈曲領域３３１によって複数の接続されていない第２のタッチ副電極に分離される。この実施形態では、第２のタッチ電極のうちの１番目の電極は、第１方向屈曲領域３３１によって２つの接続されていない第２のタッチ副電極３１１１、３１１２に分離され、第２のタッチ電極のうちの２番目の電極は、第１方向屈曲領域３３１によって２つの接続されていない第２のタッチ副電極３１２１、３１２２に分離され、第２のタッチ電極のうちの３番目の電極は、第１方向屈曲領域３３１によって２つの接続されていない第２のタッチ副電極３１３１、３１３２に分離され、第２のタッチ電極のうちの４番目の電極は、第１方向屈曲領域３３１によって２つの接続されていない第２のタッチ副電極３１４１、３１４２に分離される。
【００５４】
タッチ部材３が２つの第１方向屈曲領域を含む他の実施形態では、第２のタッチ電極のうちの１番目の電極は、２つの第１方向屈曲領域によって３つの接続されていない第２のタッチ副電極に分離され、第２のタッチ電極のうちの２番目の電極は、２つの第１方向屈曲領域によって３つの接続されていない第２のタッチ副電極に分離され、第２のタッチ電極のうちの３番目の電極は、２つの第１方向屈曲領域によって３つの接続されていない第２のタッチ副電極に分離され、第２のタッチ電極のうちの４番目の電極は、２つの第１方向屈曲領域によって３つの接続されていない第２のタッチ副電極に分離されている。この点については、当業者が容易に理解でき、したがって本明細書では、これ以上詳細に説明しない。
【００５５】
この実施形態では、タッチ部材３は、複数の第１のタッチ電極、例えば、図３の例示的な実施形態では４つの第１のタッチ電極３２１、３２２、３２３、３２４を更に含み、これらのそれぞれが第１の方向に沿って延在している。他の実施形態では、第１のタッチ電極の数は、１、２、３、５、６、７以上であってもよい。
【００５６】
タッチ部材３が２つ以上の第１方向屈曲領域を含む場合、各第１方向屈曲領域は、隣接する第１のタッチ電極と第２のタッチ電極との間に位置し、異なる隣接する第１のタッチ電極間には、それぞれ異なる第１方向屈曲領域が配置される。例えば、第１方向屈曲領域の一方は、第１のタッチ電極３２１、３２２の間に配置され、他方は、第１のタッチ電極３２２、３２３の間に配置される。あるいは、第１方向屈曲領域の一方は、第１のタッチ電極３２２、３２３の間に配置され、他方は、第１のタッチ電極３２３、３２４の間に配置される。あるいは、第１方向屈曲領域の一方は、第１のタッチ電極３２１、３２２の間に配置され、他方は、第１のタッチ電極３２３、３２４の間に配置される。あるいは、第１方向屈曲領域のうちの１つは、第１のタッチ電極３２１、３２２の間に配置され、第１方向屈曲領域の他の１つは、第１のタッチ電極３２２、３２３の間に配置され、第１方向屈曲領域の残りの１つは、第１のタッチ電極３２３、３２４の間に配置される。
【００５７】
この実施形態では、第１方向屈曲領域３３１は、隣接する第１のタッチ電極３２２、３２３の間に位置している。
【００５８】
この実施形態では、第２のタッチ副電極のそれぞれは、対応する第１のタッチ副電極駆動信号線を介して駆動される。具体的には、第２のタッチ副電極３１１１は、第２のタッチ副電極駆動信号線３５１２によって駆動され、第２のタッチ副電極３１１２は、第２のタッチ副電極駆動信号線３５１１によって駆動され、第２のタッチ副電極３１２１は、第２のタッチ副電極駆動信号線３５２２によって駆動され、第２のタッチ副電極３１２２は、第２のタッチ副電極駆動信号線３５２１によって駆動され、第２のタッチ副電極３１３１は、第２のタッチ副電極駆動信号線３５３２によって駆動され、第２のタッチ副電極３１３２は、第２のタッチ副電極駆動信号線３５３１によって駆動され、第２のタッチ副電極３１４１は、第２のタッチ副電極駆動信号線３５４２によって駆動され、第２のタッチ副電極３１４２は、第２のタッチ副電極駆動信号線３５４１によって駆動される。第１のタッチ電極３２１、３２２、３２３、３２４は、それぞれの第１のタッチ電極駆動信号線３４１、３４２、３４３、３４４によって駆動される。
【００５９】
本実施形態に基づくタッチ部材３をディスプレイデバイスに用いて、タッチ制御ディスプレイデバイスを構成できる。ディスプレイデバイスは、好ましくは、信号駆動用のフレキシブル回路基板（ＦＰＣ）を更に備える。第１のタッチ電極駆動信号線３４１、３４２、３４３、３４４及び第２のタッチ副電極駆動信号線３５１１、３５２１、３５３１、３５４１、３５１２、３５２２、３５３２、３５４２は、全てＦＰＣに接続される。
【００６０】
好ましくは、同じタッチ電極に接続された異なる信号線は、同一のＦＰＣを介して電気的に接続され、これによりタッチ電極は同一の駆動信号を受信する。具体的には、第２のタッチ副電極駆動信号線３５１１、３５１２は、同一のＦＰＣを介して互いに電気的に接続されており、第２のタッチ副電極駆動信号線３５２１、３５２２は、同一のＦＰＣを介して互いに電気的に接続されており、第２のタッチ副電極駆動信号線３５３１、３５３２は、同一のＦＰＣを介して互いに電気的に接続されており、第２のタッチ副電極駆動信号線３５４１、３５４２は、同一のＦＰＣを介して互いに電気的に接続されている。
【００６１】
図３に示すように、この実施形態では、第２のタッチ副電極駆動信号線３５１２、３５１１は、それぞれ第２のタッチ副電極３１１１、３１１２に感知信号ＴＸ１を供給し、第２のタッチ副電極駆動信号線３５２２、３５２１は、それぞれ第２のタッチ副電極３１２１、３１２２に感知信号ＴＸ２を供給し、第２のタッチ副電極駆動信号線３５３２、３５３１は、それぞれ第２のタッチ副電極３１３１、３１３２に感知信号ＴＸ３を供給し、第２のタッチ副電極駆動信号線３５４２、３５４１は、それぞれ第２のタッチ副電極３１４１、３１４２に感知信号ＴＸ４を供給する。また、第１のタッチ電極駆動信号線３４１、３４２、３４３、３４４は、それぞれ第１のタッチ電極３２１、３２２、３２３、３２４に駆動信号ＲＸ１、ＲＸ２、ＲＸ３、ＲＸ４を供給する。
【００６２】
タッチ部材３は、二重層感知構造又は金属ブリッジ構造を有する。前者の場合、第１のタッチ電極と第２のタッチ電極は異なる層に形成され、後者の場合、これらは同じ層に形成される。この点については、当業者が容易に理解でき、したがって本明細書では、これ以上詳細に説明しない。
【００６３】
この実施形態では、第１の方向は横方向であり、第２の方向は縦方向である。他の実施形態では、第１の方向を縦方向とし、第２の方向を横方向としてもよい。
【００６４】
この実施形態では、第２のタッチ電極は、第１方向屈曲領域３３１によって分離されており、これにより、第１方向屈曲領域３３１におけるタッチ部材３及びディスプレイデバイスの良好な屈曲特性が確保されている。更に、第２のタッチ副電極のそれぞれは、それぞれの第２のタッチ副電極駆動信号線によって分離されており、これにより、第２のタッチ副電極のそれぞれを確実に正常に駆動でき、曲げ状況において、ディスプレイデバイスの各タッチ制御位置でタッチ制御を正常に行うことができる。
【００６５】
本発明の思想及び範囲から逸脱することなく、本発明に対して様々な修正及び変更を加えることができることは当業者にとって明らかである。したがって、本出願は、添付の特許請求の範囲及びその均等物の範囲内にある限り、全ての修正形態及び変形形態を包含することを意図している。
【図１】
2019530047.tif 000003
【図２】
2019530047.tif 000004
【図３】
2019530047.tif 000005
【手続補正書】
【提出日】平成31年4月2日(2019.4.2)
【手続補正１】
【補正対象書類名】明細書
【補正対象項目名】００１４
【補正方法】変更
【補正の内容】
【００１４】
更に、ディスプレイデバイスは、フレキシブル回路基板（flexible circuit board：ＦＰＣ）を更に備えていてもよく、同じタッチ電極に接続された異なる信号線は、フレキシブル回路基板によって電気的に接続されており、フレキシブル回路基板は、同じタッチ電極の各タッチ副電極に対して同じ感知信号を提供する。
【手続補正２】
【補正対象書類名】明細書
【補正対象項目名】００１５
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
少なくとも１つの屈曲可能な屈曲領域を含む第１の基板と、
前記第１の基板の少なくとも１つの面に配置された複数のタッチ電極と、を備え、
前記複数のタッチ電極のうちの少なくとも幾つかは、前記屈曲領域によって複数の接続されていないタッチ副電極に分離され、
前記タッチ副電極のそれぞれは、信号線を介して駆動される、タッチ部材。
【請求項２】
請求項１において、
前記複数のタッチ電極は、第１の方向に沿って延びる複数の第１のタッチ電極と、第２の方向に沿って延びる複数の第２のタッチ電極と、を含む、タッチ部材。
【請求項３】
請求項２において、
前記屈曲領域は、ｎを正の整数として、前記第１の方向に沿って延びるｎ個の第１方向屈曲領域を含み、
前記第２のタッチ電極の少なくとも１つは、前記第１方向屈曲領域によって（ｎ＋１）個の接続されていない第２のタッチ副電極に分離され、
前記第２のタッチ副電極のそれぞれは、信号線を介して駆動される、タッチ部材。
【請求項４】
請求項３において、
前記第１方向屈曲領域のそれぞれは、２つの隣接する第１のタッチ電極間に位置し、
異なる第１方向屈曲領域は、それぞれ異なる２つの隣接する第１のタッチ電極間に位置する、タッチ部材。
【請求項５】
請求項３において、
前記屈曲領域は、更に、ｍを正の整数として、前記第２の方向に沿って延びるｍ個の第２方向屈曲領域を含み、
前記第１のタッチ電極の少なくとも１つは、前記第２方向屈曲領域によって（ｍ＋１）個の接続されていない第１のタッチ副電極に分離され、
前記第１のタッチ副電極のそれぞれは、信号線を介して駆動される、タッチ部材。
【請求項６】
請求項５において、
前記第２方向屈曲領域のそれぞれは、２つの隣接する第２のタッチ電極間に位置し、
異なる第２方向屈曲領域は、それぞれ異なる２つの隣接する第２のタッチ電極間に位置する、タッチ部材。
【請求項７】
請求項２において、
前記第１のタッチ電極と前記第２のタッチ電極は帯状であり、又は前記第１のタッチ電極のそれぞれは、複数の第１の菱形電極と、前記複数の第１の菱形電極を前記第１の方向に沿って電気的に接続する第１の接続線とを含み、
前記第２のタッチ電極のそれぞれは、複数の第２の菱形電極と、前記複数の第２の菱形電極を前記第２の方向に沿って電気的に接続する第２の接続線と、を含む、タッチ部材。
【請求項８】
請求項１乃至７のいずれか１項において、
前記屈曲領域は、１μｍから１０μｍの幅を有する、タッチ部材。
【請求項９】
請求項１乃至８のいずれかに１項に記載のタッチ部材を備える、ディスプレイデバイス。
【請求項１０】
請求項９において、
フレキシブル回路基板を更に備え、
同じタッチ電極に接続された異なる信号線は、フレキシブル回路基板によって電気的に接続されており、
前記フレキシブル回路基板は、前記同じタッチ電極の各前記タッチ副電極に対して同じ感知信号を提供する、ディスプレイデバイス。
【国際調査報告】
2019530047.tif 000006
2019530047.tif 000007
2019530047.tif 000008
2019530047.tif 000009